(57)【要約】      （修正有）【課題】高圧一括受電工事における集合住宅内の全世帯の積算電力量計の交換を正確に行えるようにする電設工事支援セットを提供する。【解決手段】電設工事支援シールセットは、接続端子１−１に接続されるケーブルに貼られるシール２−３と、接続端子１−２に接続されるケーブルに貼られるシール２−２と、接続端子１−３に接続されるケーブルに貼られるシール２−１と、接続端子１−４に接続されるケーブルに貼られるシール２−４と、接続端子１−５に接続されるケーブルに貼られるシール２−５と、接続端子１−６に接続されるケーブルに貼られるシール２−６とを有する。各シール２−ｋ（ｋ＝１〜６）には固有のバーコードがプリントされている。【選択図】図２
0003192408.tif 000002
【実用新案登録請求の範囲】
【請求項１】
各々が、電力量計の複数個の端子に装着される複数種類のシールからなる電設工事支援シールセットであって、
各シールには、当該シールに固有の識別情報を変換したバーコードがプリントされていることを特徴とする電設工事支援シールセット。
【請求項２】
前記複数のシールにおける前記バーコードがプリントされていない位置に電力量計の複数個の端子の配列順と対応した番号がプリントされていることを特徴とする請求項１に記載の電設工事支援シールセット。
【考案の詳細な説明】
【技術分野】
【０００１】
本願出願人は、マンションなどの集合住宅の高圧一括受電工事を主たる業務とする事業者である。高圧一括受電とは、集合住宅の世帯全体で電力会社から高圧電力を一括購入し、集合住宅内の変電設備により高圧を低圧に変換した上で各世帯に供給する、という受電形態である。高圧一括受電にすると、集合住宅内の各世帯が電力会社と個別に受給契約を結ぶよりも一世帯当たりの電気力金が安くなる、というコストメリットが得られる。
【０００２】
高圧一括受電工事の施工に関わる技術を開示した文献として、特許文献１がある。この文献１の出願は、本願出願人によるものである。この文献１の技術は、配電線路の電圧から中高層集合住宅用電圧への変圧を行う変圧器を含む受電設備を分解可能な複数個の単位フレームで構成し、単位フレームの各々にＶＣＴ用設置設置空間を確保してその中に電力量計器用変成器を格納する、というものである。この技術によると、受電設備を何段かに分解できる構造にできるため、装置のスリム化、軽量化、搬入作業の小人数化などの効果を得ることができる。
【先行技術文献】
【特許文献】
【０００３】
【特許文献１】特許第４９９９９１１号
【考案の概要】
【考案が解決しようとする課題】
【０００４】
高圧一括受電工事では、集合住宅の受変電設備や積算電力量計（ＷＨＭ）を電力会社による備え付けのものから高圧一括受電用のそれへと交換する必要がある。しかしながら、電力量計には個別の電線を繋げる複数個の端子があり、数十〜数百にも及ぶ集合住宅内の全世帯の積算電力量計の交換を短時間で行うと、配線接続を間違えることがある、という問題があった。
【０００５】
本考案は、このような課題に鑑みてなされたものであり、高圧一括受電工事における集合住宅内の全世帯の電力量計の交換を配線接続を間違えることなく行えるようにすることを目的とする。
【図面の簡単な説明】
【０００６】
【図１】本考案の実施形態にかかる電設工事支援シールセットが貼られたシール台紙を示す図である。
【図２】同電設工事支援シールセットを電力量計に貼付した状態を示す図である。
【図３】同電設工事支援シールセットの拡大図である。
【図４】同電設工事支援シールセットを利用した電力量計の交換の手順を示すフローチャートである。
【考案を実施するための形態】
【０００７】
図１は、本考案の一実施形態である電設工事支援シールセット２０が剥離可能に貼られたシール台紙５０である。図２は、シール台紙５０内における１組の電設工事支援シールセット２０が貼付された積算電力量計ＷＨＭを示す図である。シール台紙５０内の電設工事支援シールセット２０は、集合住宅の高圧一括受電工事において各世帯に備え付けの電力量計ＷＨＭを高圧一括受電用の電力量計ＷＨＭ’に交換する際に用いられるものである。シール台紙５０内には、複数組（図１の例では９組）の電設工事支援シールセット２０がある。
【０００８】
図３は、図１における１組の電設工事支援シールセット２０の拡大図である。図２に示すように、電力量計ＷＨＭ及びＷＨＭ’は、単相３線式のものである。電力量計ＷＨＭ及びＷＨＭ’の端子台１０には、左から順に、Ｌ１線（１次側Ｒ相線）用の接続端子１−１、Ｌ２線（１次側中性線）用の接続端子１−２、Ｌ３線（１次側Ｔ相線）用の接続端子１−３、Ｔ１線（２次側Ｒ相線）用の接続端子１−４、Ｔ２線（２次側中性線）用の接続端子１−５、Ｔ３線（２次側Ｔ相線）用の接続端子１−６が設けられている。
【０００９】
図３に示すように、電気工事支援シールセット２０は、Ｌ１線用のシール２−１、Ｌ２線用のシール２−２、Ｌ３線用のシール２−３、Ｔ１線用のシール２−４、Ｔ２線用のシール２−５、Ｔ３線用のシール２−６からなる。これらのシール２−ｋ（ｋ＝１〜６）のうちシール２−１、２−３、２−４、２−６の表面（粘着剤が塗られた側と反対側の面）は白色になっている。シール２−２の表面は黄色に着色されている。シール２−５の表面はピンク色に着色されている。シール２−ｋ（ｋ＝１〜６）の各々の表面には、当該シール２−ｋに固有の識別情報（例えば、第１桁が１〜６の数字で第２桁〜第４桁が共通の番号からなる４桁の番号）を変換したバーコード３−ｋ（ｋ＝１〜６）がプリントされている。
【００１０】
また、シール２−１の表面における縁部の僅かに内側のバーコード３−１がプリントされていない領域には、Ｌ１線用のシールであることを識別するための「１」の文字が記されている。シール２−２の表面における縁部の僅かに内側のバーコード３−２がプリントされていない領域には、Ｌ２線用のシールであることを識別するための「２」の文字が記されている。シール２−３の表面における縁部の僅かに内側のバーコード３−３がプリントされていない領域には、Ｌ３線用のシールであることを識別するための「３」の文字が記されている。
【００１１】
シール２−４の表面における縁部の僅かに内側のバーコード３−４がプリントされていない領域には、Ｔ１線用のシールであることを識別するための「４」の文字が記されている。シール２−５の表面における縁部の僅かに内側のバーコード３−５がプリントされていない領域には、Ｔ２線用のシールであることを識別するための「５」の文字が記されている。シール２−６の表面における縁部の僅かに内側のバーコード３−６がプリントされていない領域には、Ｔ３線用のシールであることを識別するための「６」の文字が記されている。
【００１２】
本実施形態では、電力量計ＷＨＭ（電力会社によって各世帯に備え付けられている電力量計）から電力量計ＷＨＭ’（高圧一括受電用の電力量計）への交換作業において、１つの世帯の電力量計の交換作業毎に１組の電気工事支援シールセット２０を利用する。
【００１３】
図４は、電力量計ＷＨＭから電力量計ＷＨＭ’への交換作業の手順を示すフローチャートである。図４に示すように、電力量計ＷＨＭから電力量計ＷＨＭ’への交換作業では、電力量計ＷＨＭの接続端子１−ｋ（ｋ＝１〜６）に電線（Ｌ１線、Ｌ２線、Ｌ３線、Ｔ１線、Ｔ２線、Ｔ３線）が接続された状態で、各電線に電設工事支援シールセット２０のシール２−ｋ（ｋ＝１〜６）を貼り付ける（Ｓ１０）。
【００１４】
より具体的には、電力量計ＷＨＭの接続端子１−１に接続されている電線（Ｌ１線）における先端部（接続端子に接続されている部分）よりも僅かに下側の分部にシール２−１を貼り付ける。また、電力量計ＷＨＭの接続端子１−２に接続されている電線（Ｌ２線）の被覆部における先端部よりも僅かに下側の位置にシール２−２を貼り付ける。また、電力量計ＷＨＭの接続端子１−３に接続されている電線（Ｌ３線）の被覆部における先端部よりも僅かに下側の位置にシール２−３を貼り付ける。また、電力量計ＷＨＭの接続端子１−４に接続されている電線（Ｔ１線）の被覆部における先端部よりも僅かに下側の位置にシール２−４を貼り付ける。また、電力量計ＷＨＭの接続端子１−５に接続されている電線（Ｔ２線）の被覆部における先端部よりも僅かに下側の位置にシール２−５を貼り付ける。また、電力量計ＷＨＭの接続端子１−６に接続されている電線（Ｔ３線）の被覆部における先端部よりも僅かに下側の位置にシール２−６を貼り付ける。
【００１５】
次に、パーソナルコンピュータに光学読み取り装置であるバーコードスキャナを接続し、このバーコードスキャナにより電力量計ＷＨＭの各接続端子１−ｋ（ｋ＝１〜６）に接続されている電線のバーコード３−ｋ（ｋ＝１〜６）を左のものから順にスキャンし、スキャンにより読み取ったバーコード３−ｋ（ｋ＝１〜６）の識別情報をパーソナルコンピュータ内のメモリに記憶させる（Ｓ２０）。
【００１６】
次に、電力量計ＷＨＭの各接続端子１−ｋ（ｋ＝１〜６）に接続されている電線（Ｌ１線、Ｌ２線、Ｌ３線、Ｔ１線、Ｔ２線、Ｔ３線）を接続端子１−ｋ（ｋ＝１〜６）から外す（Ｓ３０）。次に、電力量計ＷＨＭ（電力会社によって各世帯に備え付けられている電力量計）を電力量計ＷＨＭ’（高圧一括受電用の電力量計）に交換する（Ｓ３０）。
【００１７】
次に、電力量計ＷＨＭ’の接続端子１−ｋ（ｋ＝１〜６）に電線を接続する（Ｓ４０）。具体的には、バーコード３−１が貼られている電線（Ｌ１線）を電力量計ＷＨＭ’の接続端子１−１に接続する。また、バーコード３−２が貼られている電線（Ｌ２線）を電力量計ＷＨＭ’の接続端子１−２に接続する。また、バーコード３−３が貼られている電線（Ｌ３線）を電力量計ＷＨＭ’の接続端子１−３に接続する。また、バーコード３−４が貼られている電線（Ｔ１線）を電力量計ＷＨＭ’の接続端子１−４に接続する。また、バーコード３−５が貼られている電線（Ｔ２線）を電力量計ＷＨＭ’の接続端子１−５に接続する。また、バーコード３−６が貼られている電線（Ｔ３線）を電力量計ＷＨＭ’の接続端子１−６に接続する。
【００１８】
次に、バーコードスキャナにより電力量計ＷＨＭ’の各接続端子１−ｋ（ｋ＝１〜６）に接続されている電線のバーコード３−ｋ（ｋ＝１〜６）を左のものから順にスキャンし、スキャンにより読み取ったバーコード３−ｋ（ｋ＝１〜６）の識別情報をパーソナルコンピュータ内のメモリに記憶させる（Ｓ５０）。
【００１９】
次に、ステップＳ２０で記憶したバーコード３−ｋ（ｋ＝１〜６）の識別情報とステップＳ５０で記憶したバーコード３−ｋ（ｋ＝１〜６）の識別情報をパーソナルコンピュータのディスプレイに表示させ、ディスプレイの表示内容を確認する（Ｓ６０）。この確認により、電力量計ＷＨＭ’の配線接続に間違いを発見した場合は、該当の接続端子１−ｋの配線接続をやり直す。電力量計ＷＨＭ’の配線接続に間違いがない場合は次の電力量計の交換作業に進む。
【００２０】
以上が、本実施形態の構成の詳細である。本実施形態によると、次の効果が得られる。
第１に、本実施形態では、電設工事支援シールセット２０をなすシール２−ｋ（ｋ＝１〜６）に固有の識別情報を変換したバーコード３−ｋ（ｋ＝１〜６）がプリントされている。よって、高圧一括受電工事における電力量計ＷＨＭから電力量計ＷＨＭ’への交換の前に電力量計ＷＨＭの接続端子１−ｋ（ｋ＝１〜６）の電線にシール２−ｋ（ｋ＝１〜６）を貼り付け、電力量計ＷＨＭから電力量計ＷＨＭ’への交換の前にシール２−ｋ（ｋ＝１〜６）のバーコード３−ｋ（ｋ＝１〜６）をスキャンして得られた識別情報と交換の後にシール２−ｋ（ｋ＝１〜６）のバーコード３−ｋ（ｋ＝１〜６）をスキャンして得られた識別情報を確認することにより、電線が正しく接続できているか否かを確認することができる。従って、本実施形態によると、高圧一括受電工事において交換を要する電力量計ＷＨＭの個数が多数に及ぶ場合であっても、配線接続を間違えることなく短時間で作業を完遂することができる。
【００２１】
第２に、本実施形態では、電設工事支援シールセット２０をなすシール２−ｋ（ｋ＝１〜６）のうちＬ２線（１次側中性線）用のシール２−２の表面は黄色になっている。また、Ｔ２線（２次側中性線）用のシール２−４の表面はピンク色になっている。ここで、Ｌ１線、Ｌ２線、Ｌ３線、Ｔ１線、Ｔ２線、Ｔ３線の６本の電線のうち配線接続の間違いが直ちに事故に繋がるものは、中性線であるＬ２線とＴ２線の２本である。本実施形態では、Ｌ２線に貼り付けるシール２−２の表面とＴ２線に貼り付けるシール２−４の表面に着色がしてあるため、２つのシール２−２及び２−４が貼られた電線とそれ以外の電線を見分けやすくなる。従って、本実施形態によると、配線接続のミスを原因とする事故を起こり難くすることができる。更に、製造番号の読み取りから、個別に指定された電力量計ＷＨＭ’が正しく設置できたかを確認できる。
【００２２】
第３に、本実施形態では、電設工事支援シールセット２０をなすシール２−ｋ（ｋ＝１〜６）の表面におけるバーコード３−ｋ（ｋ＝１〜６）がプリントされていない領域に固有の番号が記されている。よって、シール２−ｋ（ｋ＝１〜６）とそれらを貼り付ける電線との関係が目視により容易に確認できる。従って、本実施形態によると、電力量計ＷＨＭから電力量計ＷＨＭ’への交換の作業効率をより一層高めることができる。
【００２３】
以上、本考案の実施形態について説明したが、かかる実施形態に以下の変形を加えてもよい。
（１）上記実施形態は、本考案を単相３線式の電力量計の交換作業に適用したものであった。しかし、本考案を３相３線式の電力量計の交換作業に適用してもよい。
（２）上記実施形態では、電設工事支援シールセット２０のシール２−ｋ（ｋ＝１〜６）におけるバーコード３−ｋ（ｋ＝１〜６）がプリントされていないな領域には、「１」、「２」、「３」、「４」、「５」、「６」の文字が記されていた。しかし、これらの文字を、シール２−ｋ（ｋ＝１〜６）に固有の別の種類の文字にしてもよい。
【符号の説明】
【００２４】
１…接続端子、２…シール、１０…端子台、２０…電設工事支援シールセット、５０…シール台紙
【図１】
0003192408.tif 000003
【図２】
0003192408.tif 000004
【図３】
0003192408.tif 000005
【図４】
0003192408.tif 000006